【手続補正書】
【提出日】平成17年2月7日(2005.2.7)
【手続補正１】
【補正対象書類名】明細書
【補正対象項目名】発明の名称
【補正方法】変更
【補正の内容】
【発明の名称】画像形成装置およびその階調制御方法
【手続補正２】
【補正対象書類名】明細書
【補正対象項目名】特許請求の範囲
【補正方法】変更
【補正の内容】
【特許請求の範囲】
【請求項１】
画像信号に応じた潜像が形成される像担持体と、前記潜像に基づいた可視像が転写される像転写体と、前記像転写体に形成された可視像の濃度を検出する検出手段と、異なる濃度で形成された複数のパッチパターンを前記検出手段により読み取ってγ変換テーブルを作成する変換手段と、前記変換手段により作成されたγ変換テーブルを用いて出力画像の階調を制御する制御手段とを備えた画像形成装置において、
前記複数のパッチパターンの形成に先立って、基準となる所定濃度の基準パッチパターンを前記像転写体上に形成する基準濃度作成手段と、
前記検出手段により読み取った前記基準パッチパターンの濃度を基準濃度と比較する比較手段と、
前記基準パッチパターンを読み取った濃度が前記基準濃度よりも高い場合には、前記複数のパッチパターンの低濃度信号部分が高濃度信号部分よりも多くなるよう形成すべきパッチパターンのレベルを決定し、前記基準パッチパターンを読み取った濃度が前記基準濃度よりも低い場合には、前記複数のパッチパターンの低濃度信号部分が高濃度信号部分より少なくなるよう形成すべきパッチパターンのレベルを決定するレベル決定手段と、
を有することを特徴とする画像形成装置。
【請求項２】
請求項１に記載の画像形成装置において、前記基準濃度は一つであり、全濃度領域のほぼ中間濃度であることを特徴とする画像形成装置。
【請求項３】
請求項１に記載の画像形成装置において、前記基準濃度は互いに異なる複数の濃度であり、前記レベル決定手段は、前記基準濃度の濃度が高いほど前記複数のパッチパターンの低濃度信号部分が高濃度信号部分よりも多くなるよう形成すべきパッチパターンのレベルを決定して、前記基準濃度の濃度が低いほど前記複数のパッチパターンの低濃度信号部分が高濃度信号部分より少なくなるよう形成すべきパッチパターンのレベルを決定することを特徴とする画像形成装置。
【請求項４】
画像信号に応じた潜像が形成される像担持体と、前記潜像に基づいた可視像が転写される像転写体と、前記像転写体に形成された可視像の濃度を検出する検出手段と、異なる濃度で形成された複数のパッチパターンを前記検出手段により読み取ってγ変換テーブルを作成する変換手段と、前記変換手段により作成されたγ変換テーブルを用いて出力画像の階調を制御する制御手段とを備えた画像形成装置の階調制御方法において、
前記複数のパッチパターンの作成に先立って、基準となる所定濃度の基準パッチパターンを前記像転写体上に形成する基準濃度作成ステップと、
前記検出手段を用いて読み取った基準パッチパターンの濃度を基準濃度と比較する比較ステップと、
前記基準パッチパターンを読み取った濃度が前記基準濃度よりも高い場合には、前記複数のパッチパターンの低濃度信号部分が高濃度信号部分よりも多くなるよう形成すべきパッチパターンのレベルを決定し、前記基準パッチパターンを読み取った濃度が前記基準濃度よりも低い場合には、前記複数のパッチパターンの低濃度信号部分が高濃度信号部分より少なくなるよう形成すべきパッチパターンのレベルを決定するレベル決定ステップと、
有することを特徴とする階調制御方法。
【請求項５】
請求項４に記載の階調制御方法において、
前記比較ステップにおいて、全濃度領域のほぼ中間濃度を基準濃度として用いることを特徴とする階調制御方法。
【請求項６】
請求項４に記載の階調制御方法において、
前記比較ステップにおいて、読み取った基準パッチパターンの濃度を互いに異なる複数の基準濃度と比較し、
前記レベル決定ステップにおいて、前記レベル決定手段は、前記基準濃度の濃度が高いほど前記複数のパッチパターンの低濃度信号部分が高濃度信号部分よりも多くなるよう形成すべきパッチパターンのレベルを決定して、前記基準濃度の濃度が低いほど前記複数のパッチパターンの低濃度信号部分が高濃度信号部分より少なくなるよう形成すべきパッチパターンのレベルを決定することを特徴とする階調制御方法。
【手続補正３】
【補正対象書類名】明細書
【補正対象項目名】０００１
【補正方法】変更
【補正の内容】
【０００１】
【発明の属する技術分野】
本発明は画像形成装置およびその階調制御方法に関し、特に、レーザビームプリンタ、静電記録装置等の画像形成装置およびその階調制御方法に関する。
【手続補正４】
【補正対象書類名】明細書
【補正対象項目名】００２６
【補正方法】変更
【補正の内容】
【００２６】
本発明の目的は、上記の課題を解決することのできる画像形成装置およびその階調制御方法を提供することである。
【手続補正５】
【補正対象書類名】明細書
【補正対象項目名】００２７
【補正方法】変更
【補正の内容】
【００２７】
【課題を解決するための手段】
請求項１の発明は、画像信号に応じた潜像が形成される像担持体と、前記潜像に基づいた可視像が転写される像転写体と、前記像転写体に形成された可視像の濃度を検出する検出手段と、異なる濃度で形成された複数のパッチパターンを前記検出手段により読み取ってγ変換テーブルを作成する変換手段と、前記変換手段により作成されたγ変換テーブルを用いて出力画像の階調を制御する制御手段とを備えた画像形成装置において、前記複数のパッチパターンの形成に先立って、基準となる所定濃度の基準パッチパターンを前記像転写体上に形成する基準濃度作成手段と、前記検出手段により読み取った前記基準パッチパターンの濃度を基準濃度と比較する比較手段と、前記基準パッチパターンを読み取った濃度が前記基準濃度よりも高い場合には、前記複数のパッチパターンの低濃度信号部分が高濃度信号部分よりも多くなるよう形成すべきパッチパターンのレベルを決定し、前記基準パッチパターンを読み取った濃度が前記基準濃度よりも低い場合には、前記複数のパッチパターンの低濃度信号部分が高濃度信号部分より少なくなるよう形成すべきパッチパターンのレベルを決定するレベル決定手段とを有する。
【手続補正６】
【補正対象書類名】明細書
【補正対象項目名】００２８
【補正方法】変更
【補正の内容】
【００２８】
請求項２の発明は、請求項１に記載の画像形成装置において、請求項１に記載の画像形成装置において、前記基準濃度は一つであり、全濃度領域のほぼ中間濃度である。
【手続補正７】
【補正対象書類名】明細書
【補正対象項目名】００２９
【補正方法】変更
【補正の内容】
【００２９】
請求項３の発明は、請求項１に記載の画像形成装置において、請求項１に記載の画像形成装置において、前記基準濃度は互いに異なる複数の濃度であり、前記レベル決定手段は、前記基準濃度の濃度が高いほど前記複数のパッチパターンの低濃度信号部分が高濃度信号部分よりも多くなるよう形成すべきパッチパターンのレベルを決定して、前記基準濃度の濃度が低いほど前記複数のパッチパターンの低濃度信号部分が高濃度信号部分より少なくなるよう形成すべきパッチパターンのレベルを決定する。
【手続補正８】
【補正対象書類名】明細書
【補正対象項目名】００３０
【補正方法】変更
【補正の内容】
【００３０】
請求項４の発明は、画像信号に応じた潜像が形成される像担持体と、前記潜像に基づいた可視像が転写される像転写体と、前記像転写体に形成された可視像の濃度を検出する検出手段と、異なる濃度で形成された複数のパッチパターンを前記検出手段により読み取ってγ変換テーブルを作成する変換手段と、前記変換手段により作成されたγ変換テーブルを用いて出力画像の階調を制御する制御手段とを備えた画像形成装置の階調制御方法において、前記複数のパッチパターンの作成に先立って、基準となる所定濃度の基準パッチパターンを前記像転写体上に形成する基準濃度作成ステップと、前記検出手段を用いて読み取った基準パッチパターンの濃度を基準濃度と比較する比較ステップと、前記基準パッチパターンを読み取った濃度が前記基準濃度よりも高い場合には、前記複数のパッチパターンの低濃度信号部分が高濃度信号部分よりも多くなるよう形成すべきパッチパターンのレベルを決定し、前記基準パッチパターンを読み取った濃度が前記基準濃度よりも低い場合には、前記複数のパッチパターンの低濃度信号部分が高濃度信号部分より少なくなるよう形成すべきパッチパターンのレベルを決定するレベル決定ステップと有する。
【手続補正９】
【補正対象書類名】明細書
【補正対象項目名】００３１
【補正方法】変更
【補正の内容】
【００３１】
請求項５の発明は、請求項４に記載の階調制御方法において、請求項４に記載の階調制御方法において、前記比較ステップにおいて、全濃度領域のほぼ中間濃度を基準濃度として用いる。
【手続補正１０】
【補正対象書類名】明細書
【補正対象項目名】００３２
【補正方法】変更
【補正の内容】
【００３２】
請求項６の発明は、請求項４に記載の階調制御方法において、前記比較ステップにおいて、読み取った基準パッチパターンの濃度を互いに異なる複数の基準濃度と比較し、前記レベル決定ステップにおいて、前記レベル決定手段は、前記基準濃度の濃度が高いほど前記複数のパッチパターンの低濃度信号部分が高濃度信号部分よりも多くなるよう形成すべきパッチパターンのレベルを決定して、前記基準濃度の濃度が低いほど前記複数のパッチパターンの低濃度信号部分が高濃度信号部分より少なくなるよう形成すべきパッチパターンのレベルを決定する。
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】削除
【補正の内容】
【手続補正１４】
【補正対象書類名】明細書
【補正対象項目名】００５０
【補正方法】変更
【補正の内容】
【００５０】
【発明の効果】
以上説明したように本発明に係る画像形成装置およびその階調制御方法によれば、画像信号に応じた潜像が形成される像担持体と、露光、現像を経て潜像に基づいた可視像が転写される像転写体と、可視像化されたトナー像濃度を検出する光センサとを備えるカラー画像形成装置において、複数レベルの濃度信号のトナーパッチパターン群を形成して光センサにて読み取り、γテーブルを作成する画像形成装置で、基準レベルのトナーパッチの読み取り信号に応じて、複数レベルの濃度信号のトナーパッチパターン群の信号レベルを異ならせることにより、制御時間を長くすることなく、高精度な階調制御を行える効果がある。